(57)【要約】【課題】結露時の運転に対し安定したポンプ性能を確保できるベーンロータリ型空気ポンプを提供すること。【解決手段】スリット１２２とベーン１３１が接触摺動しないスリット面１２２ｂの表面粗さを大きくするとともに、ベーン１３１と接触摺動するスリット面１２２ａの平均表面粗さを０．１μｍ以上１．０μｍ以下にする。ベーン１３１と接触摺動しないスリット面１２２ｂの表面粗さを大きくすることで、ベーン１３１とスリット１２２の実質上の隙間が増大し、結露が発生してベーン１３１とスリット１２２との間に結露水が介在した場合においても、表面張力の影響を小さくすることができるので、ベーンジャンピングによる騒音増大や空回りの防止が可能となる。【選択図】図３
2006258043.tif 000002
【特許請求の範囲】
【請求項１】
筒状内壁を有するシリンダ内に、円筒形状のロータを前記シリンダの中心軸から偏心させた状態で配置し、前記ロータにはその中心軸方向に複数のスリットを設け、これらのスリットには自己潤滑性を有する材質よりなる板状のベーンを摺動可能な状態で嵌合させ、フロントプレートとリアプレートとを前記ロータと前記ベーンとを挟み込むように前記シリンダの両端面に配置して複数のポンプ空間を形成し、前記ロータの中心軸にはモータシャフトを備えてポンプ機構部を構成し、前記リアプレートの反ポンプ機構部側には駆動モータを配置し、前記駆動モータが前記モータシャフトを駆動することにより、前記ポンプ空間が伸縮作用を生じるベーンロータリ型空気ポンプであって、前記スリットにおいて、前記ベーンと接触摺動する部分の平均表面粗さを０．１μｍ以上１．０μｍ以下とし、前記ベーンと接触摺動しない部分の表面粗さをベーンと接触摺動する部分の表面粗さより大きくしたことを特徴とするベーンロータリ型空気ポンプ。
【請求項２】
前記スリットの接触摺動しない部分の平均表面粗さを１．０μｍ以上３．０μｍ以下としてなる請求項１に記載のベーンロータリ型空気ポンプ。
【請求項３】
スリットの接触摺動する部分を研削加工で仕上げた請求項１又は２に記載のベーンロータリ型空気ポンプ。
【請求項４】
スリットの接触摺動しない部分を切削加工で仕上げた請求項１から３のうちいずれか一項に記載のベーンロータリ型空気ポンプ。
【請求項５】
スリットとベーンとの摺動する側の面同士の組み立て時の最大のクリアランスを、前記スリット幅の１％以上５％以下としてなる請求項１から４のうちいずれか一項に記載のベーンロータリ型空気ポンプ。
【発明の詳細な説明】
【技術分野】
【０００１】
本発明は、燃料電池を用いたモバイル用情報端末機器の空気供給装置に使用されるオイルレスのベーンロータリ型空気ポンプに関するものである。
【背景技術】
【０００２】
現在、モバイル用の燃料電池は開発途上であり、この燃料電池のセルに空気を供給する空気ポンプとしては適切なものが存在しない。この種の空気ポンプに求められる特性は、供給空気はオイル等の不純物を含んでいないこと、すなわちオイルレス機構であること、供給空気量は５〜１０Ｌ／ｍｉｎ程度の比較的小流量でよいが、燃料電池セルの空気通路で生じる圧力損失にうち勝って空気を送り込むために、その圧力はΔＰ＝５ｋＰａ程度必要なこと、大きさはモバイル機器に組み込む必要性から直径はおよそφ３０ｍｍ以下であること、及び騒音レベルが低いことが求められる。
【０００３】
また、さまざまな環境下での使用が想定され、中でも特に結露が発生する環境での使用は避けられない。結露が発生するとベーンとスリット間に結露水が介在し、表面張力によりベーンの動作が鈍くなる。その結果、ベーンジャンピングによる騒音増大や、ベーンが出ない状態での運転（空回り）が発生する恐れがある。これを防止するために、ベーンもしくはスリットの摺動面に溝や凹部を設け、接触面積を低減する方法がある（例えば、特許文献１参照）。
【０００４】
図４と図５は特許文献１に記載された従来のベーンロータリ型ポンプである。この種のベーンロータリ型ポンプは、内面が環状のシリンダ１内に、円筒状のロータ３を配置し、ロータ３にはその中心軸方向に複数のスリット６が設けられ、これらのスリット６内には板状のベーン５が摺動可能な状態ではめ込まれ、ベーン５の先端部がシリンダ１の内面上を接触摺動する構成になっている。またベーン５がスリット６内でスムーズな動作ができるように、ベーン５もしくはスリット６に溝２０、２１や凹部を設け、接触面積を小さくしている。この結果、摩擦抵抗が低減されるだけでなく、結露が発生した場合においても、ベーン５とスリット６間に入り込んだ水分を溝２０、２１や凹部から吐き出し、ベーン５がスリット６に吸着することを防止する。
【特許文献１】特開昭５３−５９９０２号公報
【発明の開示】
【発明が解決しようとする課題】
【０００５】
しかしながら、前記従来の構成ではオイル潤滑が前提となっており、オイルレス機構の空気ポンプには適用が困難となる。一般的にオイルレス機構では自己潤滑性を有する材質のベーンを用いることが多く、ベーンが摺動摩耗することで潤滑効果を得ている。オイルレス機構の空気ポンプにおいて前記従来の構成を適用した場合、累積運転時間の少ない空気ポンプでは、確かに結露時のベーンジャンピングや空回りを防止できる。しかし累積運転時間が多くなると、摩耗によりベーン形状は変化していくため、ベーンに設けられた溝や凹部の効果も次第に弱まり、結果として結露時のベーン挙動が不安定となってしまう。
【０００６】
本発明は前記従来の課題を解決するもので、結露時の運転に対して安定したポンプ性能を確保し、さらにはその効果を長期にわたり維持できるベーンロータリ型空気ポンプの提供を目的とする。
【課題を解決するための手段】
【０００７】
前記従来の課題を解決するために、本発明のベーンロータリ型空気ポンプは、スリット
において、ベーンと摺動する部分の平均表面粗さを０．１μｍ以上１．０μｍ以下とし、ベーンと摺動しない部分の表面粗さをベーンと摺動する部分の表面粗さより大きくしたものである。
【０００８】
かかる構成によれば、結露が発生してベーンとスリット間に結露水が介在した場合においても、表面張力の影響を小さくすることができる。すなわちベーンジャンピングによる騒音増大や空回りを防止することができ、安定したポンプ性能の確保が可能となる。またスリットのベーンと摺動する部分の表面粗さが良いので、ベーンの摩耗を抑制することが出来、ポンプの寿命を向上することが出来る。
【発明の効果】
【０００９】
本発明のベーンロータリ型空気ポンプは、結露時の運転に対し安定したポンプ性能を確保し、さらにポンプの寿命を向上することが出来る。
【発明を実施するための最良の形態】
【００１０】
請求項１に記載の本発明では、ベーンロータリ型空気ポンプのロータに設けたスリットにおいて、ベーンと摺動する部分の平均表面粗さを０．１μｍ以上１．０μｍ以下とし、ベーンと摺動しない部分の表面粗さをベーンと摺動する部分の表面粗さより大きくしたものである。そしてこの構成によれば、摺動部における通常運転時の騒音低減やベーンの摩耗を抑制しつつ、結露が発生しベーンとスリット間に結露水が介在した場合においても、スリットとベーンが摺動しない部分での表面張力の影響を小さくすることができる。すなわちベーンジャンピングによる騒音増大や空回りを防止することができ、安定したポンプ性能の確保が可能となるとともに、ポンプの寿命を向上することが出来る。
【００１１】
請求項２に記載の本発明では、特に請求項１記載のスリットの摺動しない部分の平均表面粗さを１．０μｍから３．０μｍとしたものである。そしてこの構成によれば、表面粗さを大きくすることによる摩耗や騒音の不具合を発生することなく、結露時のベーン挙動を安定させるとともに、通常運転時の騒音低減やベーンの摩耗量低減を図ることができる。
【００１２】
請求項３に記載の本発明では、特に請求項１又は２に記載のスリットの摺動する部分を研削加工で仕上げたものである。そしてこの構成では、スリットの摺動する部分の表面粗さだけでなく、平面度や平行度を確保できるので、大量生産の場合においても安定した性能のポンプを提供することができる。
【００１３】
請求項４に記載の本発明では、特に請求項１から３のうちいずれかに記載の摺動しない部分を切削加工で仕上げたものである。そしてこの構成では、スリットの摺動する部分の表面粗さだけでなく、平面度や平行度を確保できるので、大量生産の場合においても安定した性能のポンプを提供することができる。
【００１４】
請求項５に記載の本発明では、に請求項１から４のうちいずれかに記載のスリットとベーンの組み立て時のクリアランスを、スリット幅の１％以上５％以下としたものである。そしてこの構成によれば、通常運転時にクリアランスを介しての空気の漏れを抑制して性能を確保しつつ、結露時のベーン挙動を安定させることができる。
【００１５】
以下、本発明の実施の形態について、図面を参照しながら説明する。なお、この実施の形態によって本発明が限定されるものではない。
【００１６】
（実施の形態１）
図１は、本実施の形態１におけるベーンロータリ型空気ポンプの横断面図である。また
図２は、本実施の形態１におけるベーンロータリ型空気ポンプの縦断面図であり、図１は図２におけるＡ−Ｏ−Ａ断面に相当する。また図３は本実施の形態１におけるベーンロータリ型空気ポンプの要部拡大断面図で、ロータとベーンの接触状態をしめすものである。以下、図１から３をもとに本発明の実施の形態について説明する。
【００１７】
まず構成について説明する。図１において、本発明のベーンロータリ型空気ポンプは、ポンプ機構部１００と駆動モータ部２００により構成されている。
【００１８】
ポンプ機構部１００は、筒状内壁を有するシリンダ１１１と、円筒形状のロータ１２１と、自己潤滑性を有するカーボン複合材質よりなる板状のベーン１３１と、自己潤滑性材質を一面に塗布したフロントプレート１４１及びリアプレート１５１とから構成されている。ロータ１２１はシリンダ１１１の中心軸から偏心した状態で配置され、このロータ１２１の中心軸方向に設けられた複数のスリット１２２に、ベーン１３１が摺動可能な状態で嵌合されている。本実施の形態１では、ロータ１２１とシリンダ１１１はアルミニウム合金より構成されて軽量化を図っており、その材質にはシリコン含有量が約１０％のアルミニウム合金を使用している。そしてフロントプレート１４１とリアプレート１５１が、ロータ１２１とベーン１３１を挟み込むようにシリンダ１１１の両端に配置され、複数のポンプ空間１６１を形成している。このとき、フロントプレート１４１とリアプレート１５１とは、互いに自己潤滑性材質の塗布された面が向かい合うように配置される。両プレートに塗布された自己潤滑性材質としては、例えば二硫化モリブデン等がある。
【００１９】
駆動モータ部２００は、ステータ２１１とモータロータ２２１とモータシャフト２２２とモータケーシング２３１と固定板２４１から構成される。固定板２４１にステータ２１１が取り付けられ、ステータ２１１の外周を覆うようにモータロータ２２１が配置され、さらにモータロータ２２１の外周を覆うようにモータケーシング２３１が配置され、固定板２４１に取り付けられている。モータシャフト２２２はモータロータ２２１の中心に固定されている。なお本実施の形態１では、代表してアウターロータタイプの直流モータを例に挙げているが、これに限ったものではない。
【００２０】
ロータ１２１の中心軸には、リアプレート１５１の反ポンプ機構部側に配置された駆動モータ部２００のモータシャフト２２２が結合されており、駆動モータ部２００で発生した回転力をロータ１２１に伝達する役割を果たしている。このモータシャフト２２２はフロントプレート１４１とリアプレート１５１にそれぞれ設けられた軸受１４２、１５２で回転可能に支承されている。これらの軸受としては、無潤滑でも使用可能なグリス封入型ボールベアリングが望ましい。
【００２１】
次に動作について説明する。上記構成で駆動モータ部２００に通電すると、モータシャフト２２２とこれに連結されたロータ１２１が図２の矢印Ｘの方向に回転する。この時ベーン１３１は回転の遠心力によりスリット１２２内で外側側へと移動し、ベーン１３１の先端がシリンダ１１１の内面に接触・摺動しながらロータ１２１とともに回転運動する。その結果、ポンプ空間１６１は伸縮するので、空気がフロントプレート１４１の吸入口１４１ａより吸い込まれ、その一部は吸入口１４１ａに臨む直接ポンプ空間１６１ａに入り込む。残りの空気は、シリンダ１１１を軸方向に貫通する連通路１１１ｂを経由した後、リアプレート１５１に形成された吸入ポート１５１ａを経てポンプ空間１６１ａに入り込む。ポンプ空間１６１に入った空気は、ロータ１２１が回転する間に圧力が上昇（例えば、ΔＰ＝５ｋＰａ）し、フロントプレート１４１に設けられた吐出ポート１４１ｂから、吐出口１４１ｃを経て、吐出管１４３より外部へと供給される。
【００２２】
モバイル用の燃料電池に使用される空気ポンプにはいくつかの要求項目があり、その１つとして環境に対する性能の安定化がある。さまざまな環境での使用が想定されるが、中
でも特に結露が発生する環境での使用は避けられない。結露が発生するとベーン１３１とスリット１２２との間に結露水が介在し、表面張力によりベーン１３１の動作が鈍くなる。その結果、ベーンジャンピングによる騒音増大や、ベーンが出ない状態での運転（空回り）が発生する恐れがあり、安定した圧力と流量の供給が困難となってしまう。
【００２３】
そこで結露時の性能安定化対策として、図３に示すようにスリット１２２とベーン１３１が接触摺動しないスリット面１２２ｂの表面粗さを大きくするとともに、ベーン１３１と接触摺動するスリット面１２２ａの表面粗さを良好にする。ベーン１３１と接触摺動しないスリット面１２２ｂの表面粗さを大きくすることでベーン１３１とスリット１２２の実質上の隙間が増大し、結露が発生してベーン１３１とスリット１２２間に結露水が介在した場合においても表面張力の影響を小さくすることができる。すなわちベーンジャンピングによる騒音増大や空回りを防止することができ、安定したポンプ性能の確保が可能となる。さらにベーンと摺動するスリットの表面粗さを良くすることによりベーンの摩耗を抑制することが出来、ポンプの寿命を向上することが出来る。
【００２４】
具体的には、ベーン１３１と接触摺動するスリット面１２２ａの平均表面粗さを０．１μｍ以上１．０μｍ以下とすることにより、運転時の騒音低減やベーン１３１の摩耗量低減を図ることができる。
【００２５】
また、ベーン１３１と接触摺動しないスリット面１２２ｂの平均表面粗さを１．０μｍ以上３．０μｍ以下とすることにより、結露時のベーン挙動を安定させるだけでなく、通常運転時の騒音低減を図ることができる。
【００２６】
また、ベーン１３１と接触摺動するスリット面１２２ａの加工を研削加工で行うことにより、摺動面の表面粗さを安定的に良好にすることが出来、高性能で高寿命のポンプを提供することが出来る。
【００２７】
また、ベーン１３１と接触摺動しないスリット面１２２ｂの加工を切削加工で行うことにより、摺動面の表面粗さを大きくすることを安価かつ安定的に構成することが出来、高性能で高寿命のポンプを安価に提供することが出来る。
【００２８】
また、スリット１２２とベーン１３１の組み立て時の摺動する側の面同士の最大のクリアランスＣをスリット１２２の幅Ｄの１％以上５％以下とすると、通常運転時にクリアランスを介しての空気の漏れを抑制して性能を確保しつつ、結露時のベーン１３１の挙動を安定させることができる。クリアランスに関しては、スリット１２２の幅の１％以下の場合には、結露時にベーン１３１がスリット１２２に入り込んだままの運転、すなわち空回りが発生し、逆に５％を超える場合には、体積効率の低下だけでなく、騒音値の増大を引き起こしてしまう。より望ましいクリアランスの範囲としては、スリット１２２の幅の１％以上３％以下である。
【産業上の利用可能性】
【００２９】
以上のように、本発明にかかるベーンロータリ型空気ポンプは、結露時の運転に対し安定したポンプ性能を確保し、さらにはその効果を長期にわたり維持することができるので、モバイル燃料電池用の空気供給だけでなく、家庭用健康器具や医療用治療器具等の用途にも適用できる。
【図面の簡単な説明】
【００３０】
【図１】本発明の実施の形態１におけるベーンロータリ型空気ポンプの断面図
【図２】本発明の実施の形態１におけるベーンロータリ型空気ポンプの断面図
【図３】図２の要部拡大断面図
【図４】従来のベーンロータリ型ポンプの圧縮機構部の断面図
【図５】従来のベーンロータリ型ポンプのベーンの平面図
【符号の説明】
【００３１】
１００  ポンプ機構部
１１１  シリンダ
１２１  ロータ
１２２  スリット
１２２ａ  接触摺動するスリット面
１２２ｂ  接触摺動しないスリット面
１３１  ベーン
１３１ａ  ベーン摺動面
１４１  フロントプレート
１５１  リアプレート
１６１，１６１ａ  ポンプ空間
２００  駆動モータ部
２２２  モータシャフト
Ｃ  最大のクリアランス
Ｄ  スリット幅
【図１】
2006258043.tif 000003
【図２】
2006258043.tif 000004
【図３】
2006258043.tif 000005
【図４】
2006258043.tif 000006
【図５】
2006258043.tif 000007